(57)【要約】【課題】挿入部の先端を腸管のヒダに引っ掛け手元側に引き寄せたり軸線周りに捩じったりして腸管を直線化する際に挿入部先端とヒダとの係合が外れ難く、挿入部を大腸内に容易かつ円滑に挿入することができる大腸挿入用内視鏡の先端部を提供すること。【解決手段】挿入部１の先端を構成する先端部本体５の先端面に被写体の光像を取り込むための観察窓６が配置されると共に、先端部本体５の外縁部分から前方に向かって筒状の先端フード１０が突設された大腸挿入用内視鏡の先端部において、先端フード１０の外周面に、少なくとも後面部分と側面部分が先端フード１０の外周面から盛り上がった形状の複数の凸部１１を先端フード１０の軸線周り方向に間隔をあけて突設した。【選択図】      図１
2006192087.tif 000002
【特許請求の範囲】
【請求項１】
挿入部の先端を構成する先端部本体の先端面に被写体の光像を取り込むための観察窓が配置されると共に、上記先端部本体の外縁部分から前方に向かって筒状の先端フードが突設された大腸挿入用内視鏡の先端部において、
上記先端フードの外周面に、少なくとも後面部分と側面部分が上記先端フードの外周面から盛り上がった形状の複数の凸部を上記先端フードの軸線周り方向に間隔をあけて突設したことを特徴とする大腸挿入用内視鏡の先端部。
【請求項２】
上記先端フードが透明な部材によって形成されていて、その透明な先端フードの外周面に上記凸部が突設されている請求項１記載の大腸挿入用内視鏡の先端部。
【請求項３】
上記先端フードが上記先端部本体に対して着脱自在である請求項１又は２記載の大腸挿入用内視鏡の先端部。
【請求項４】
上記凸部が上記先端フードと一体に形成されている請求項１ないし３のいずれかの項に記載の大腸挿入用内視鏡の先端部。
【請求項５】
上記先端フードの外周面の上記凸部より先寄りの位置にある部分が、先側へ漸次外径が小さくなるテーパ状に形成されている請求項１ないし４のいずれかの項に記載の大腸挿入用内視鏡の先端部。
【請求項６】
上記凸部の外周面が、先側へ漸次外径が小さくなるテーパ状に形成されている請求項１ないし５のいずれかの項に記載の大腸挿入用内視鏡の先端部。
【発明の詳細な説明】
【技術分野】
【０００１】
この発明は大腸挿入用内視鏡の先端部に関する。
【背景技術】
【０００２】
大腸挿入用の内視鏡は被検者の肛門から大腸内に挿入されるが、大腸を肛門側から辿ると、短い直腸を通過してＳ字結腸において小さな曲率半径で文字通りＳ字状にカーブして下向結腸に至り、さらに下向結腸から横行結腸に移行する部分でも９０°以上に屈曲している場合がほとんどである。
【０００３】
しかも、直腸以外の部分は体壁に固定されておらず、Ｓ字結腸等は外力で自由に伸縮したり形状が変わったりする場合が多いので、大腸内に無闇に内視鏡を押し込んでも腸管が奥へ伸ばされてしまうだけで内視鏡を大腸の深部へ挿入するのは困難である。
【０００４】
そこで、内視鏡の挿入部をある程度まで腸管内に挿入したら、挿入部先端に形成されている湾曲部を遠隔操作により小さな曲率半径で屈曲させて、挿入部先端を腸管のヒダに引っ掛ける手技が行われる。
【０００５】
そのようにして挿入部先端を腸管のヒダに引っ掛けたら、挿入部先端を手元側に引き寄せて腸管をアコーデオンのように縮ませて直線化する操作と、挿入部を軸線周りに捩じって腸管を大きく回転させる操作とを適宜組み合わせることで、挿入部を大腸深部へ比較的容易に挿入することができる。
【０００６】
そのようにして大腸内に挿入される大腸挿入用内視鏡の先端部は一般に、挿入部の前方の被写体の光像を取り込むための観察窓が挿入部の先端面に配置されていて、その挿入部の先端面の外縁から前方に突出する先端フードが設けられた構成になっている（例えば、特許文献１）。
【特許文献１】特開平１０−２４８７９２
【発明の開示】
【発明が解決しようとする課題】
【０００７】
しかし、従来の大腸挿入用内視鏡で上述のような挿入手技を行う際には、挿入部先端を腸管のヒダに引っ掛けて手元側に引き寄せたり軸線周りに捩じったりすると挿入部先端とヒダとの係合が滑って外れ、挿入操作を最初からやり直さなければならなくなって挿入に非常に時間がかかる場合が少なくなかった。
【０００８】
そこで本発明は、挿入部の先端を腸管のヒダに引っ掛け手元側に引き寄せたり軸線周りに捩じったりして腸管を直線化する際に挿入部先端とヒダとの係合が外れ難く、挿入部を大腸内に容易かつ円滑に挿入することができる大腸挿入用内視鏡の先端部を提供することを目的とする。
【課題を解決するための手段】
【０００９】
上記の目的を達成するため、本発明の大腸挿入用内視鏡の先端部は、挿入部の先端を構成する先端部本体の先端面に被写体の光像を取り込むための観察窓が配置されると共に、先端部本体の外縁部分から前方に向かって筒状の先端フードが突設された大腸挿入用内視鏡の先端部において、先端フードの外周面に、少なくとも後面部分と側面部分が先端フードの外周面から盛り上がった形状の複数の凸部を先端フードの軸線周り方向に間隔をあけて突設したものである。
【００１０】
なお、先端フードが透明な部材によって形成されていて、その透明な先端フードの外周面に凸部が突設されていてもよく、先端フードが先端部本体に対して着脱自在であってもよい。また、凸部が先端フードと一体に形成されていてもよい。
【００１１】
また、先端フードの外周面の凸部より先寄りの位置にある部分が、先側へ漸次外径が小さくなるテーパ状に形成されていてもよく、凸部の外周面が、先側へ漸次外径が小さくなるテーパ状に形成されていてもよい。
【発明の効果】
【００１２】
本発明の大腸挿入用内視鏡の先端部によれば、先端フードの外周面に、少なくとも後面部分と側面部分が先端フードの外周面から盛り上がった形状の複数の凸部を先端フードの軸線周り方向に間隔をあけて突設したことにより、挿入部の先端を腸管のヒダに引っ掛け手元側に引き寄せたり回転させて腸管を直線化する際にヒダとの係合が外れ難く、挿入部を大腸内に容易かつ円滑に挿入することができる。
【発明を実施するための最良の形態】
【００１３】
挿入部の先端を構成する先端部本体の先端面に被写体の光像を取り込むための観察窓が配置されると共に、先端部本体の外縁部分から前方に向かって筒状の先端フードが突設された大腸挿入用内視鏡の先端部において、先端フードの外周面に、少なくとも後面部分と側面部分が先端フードの外周面から盛り上がった形状の複数の凸部を先端フードの軸線周り方向に間隔をあけて突設する。
【実施例】
【００１４】
図面を参照して本発明の実施例を説明する。
図２は大腸挿入用内視鏡の外観図であり、可撓性の挿入部１の先端付近に形成された湾曲部２は、挿入部１の基端に連結された操作部３において操作ノブ４を操作することにより、二点鎖線で示されるように、任意の方向に任意の角度だけ屈曲させることができる。
【００１５】
湾曲部２の先端に連結された硬質の短円柱状の先端部本体５には、対物光学系や固体撮像素子等各種の機能要素が内蔵されており、先端部本体５によって挿入部１の最先端部分が構成されている。
【００１６】
先端部本体５には、その外縁部分から前方に向かって円筒状の先端フード１０が突設されていて、先端フード１０の外周面には、複数の凸部１１が先端フード１０の軸線周り方向に間隔をあけて突設されている。
【００１７】
図１は挿入部１の最先端部付近を示しており、被写体の光像を取り込むための観察窓６や図示されていない照明窓等が先端部本体５の先端面５ａに配置されていて、挿入部１の前方を内視鏡観察することができる。Ｖは観察視野範囲である。
【００１８】
円筒状に形成された先端フード１０は、その先側半部が先端部本体５の先端面５ａから前方に突出しており、後側半部は先端部本体５の外周部に係脱自在に係止されている。その係止構造は、弾力的な締め付け、ネジ係合或いは凹凸の嵌め合いなど公知の各種の構造を採用することができる。ただし、先端フード１０が先端部本体５から外れない構成であっても差し支えない。
【００１９】
そのような先端フード１０は、透明なプラスチック材により形成されており、観察視野範囲Ｖ内に先端フード１０が存在していても、先端フード１０を透過してその向こう側の状態を観察窓６から内視鏡観察することができる。
【００２０】
凸部１１は、その部分だけが先端フード１０の外表面から盛り上がった形状に形成されており、その盛り上がりの高さｔは１〜３ｍｍ程度である。そしてこの実施例においては、外観斜視図である図３及び図１におけるIV−IV断面を図示する図４にも示されるように、先端フード１０に一体成形された４個の凸部１１が、先端フード１０の軸線周り方向に例えば９０°毎に互いの間に間隔をあけて設けられている。
【００２１】
ただし、複数の凸部１１どうしの間隔は必ずしも均等でなくても差し支えなく、軸線方向にも多少位置ずれしていても差し支えない。また、凸部１１の数は必ずしも４個である必要はなく、図５に示されるように８個或いはその他の個数であっても差し支えない。ただし、実用上から３〜１２個程度の範囲にあるのが望ましい。
【００２２】
図６は、上述のように構成された実施例の大腸挿入用内視鏡が大腸内に挿入されている状態を示しており、例えば腸管のカーブ部分において、凸部１１がヒダ１００を通過した位置で湾曲部２を屈曲させ、凸部１１をヒダ１００の裏面部分に係合させる。
【００２３】
そして、図７に示されるように、挿入部１を手元側に引き寄せる操作と挿入部１を軸線周りに捩じる操作を適宜に行うことにより、凸部１１に係合するヒダ１００を肛門側に引き寄せて腸管を真っ直ぐな状態に短縮化したり、本来はループ状に屈曲している腸管を真っ直ぐに直したりすることができるので、引き続いて挿入部１を押し込み操作することにより大腸深部への挿入を容易に行うことができる。
【００２４】
このような動作に際して、本発明においては、先端フード１０の外周面に突設された凸部１１がヒダ１００によく引っ掛かって、挿入部１を手元側に引き寄せる操作をしたときや軸線周りに捩じったときにヒダ１００との係合が簡単に外れないので、腸管を所望の通りに移動させることができる。
【００２５】
図８は本発明の第２の実施例の大腸挿入用内視鏡の先端部を示しており、先端フード１０の外周面の凸部１１より先寄りの位置にある部分１０ａが先側へ漸次外径が小さくなるテーパ状に形成されて、腸管内への挿入がスムーズに行えるようになっている。凸部１１が先端フード１０の軸線周り方向に複数形成されている点は第１の実施例と同じであり、以下の実施例でも同様である。
【００２６】
図９は本発明の第３の実施例の大腸挿入用内視鏡の先端部を示しており、凸部１１の外周面１１ａが先側へ漸次外径が小さくなるテーパ状に形成されて、腸管内への挿入がスムーズに行えるようになっている。
【００２７】
なおこの実施例では、凸部１１の前面側部分が先端フード１０の表面から盛り上がった形状とは言えなくなっているが、凸部１１の後面部分１１ｂが盛り上がった形状になっていれば挿入部１を手元側に引き寄せる操作をしたときにヒダ１００との係合が外れ難く、凸部１１の側面部分が盛り上がった形状になっていれば挿入部１を軸線周りに捩じったときにヒダ１００との係合が外れ難い。したがって、凸部１１は少なくとも後面部分１１ｂと側面部分とが先端フード１０の外周面から盛り上がった形状であればよい。
【００２８】
図１０は本発明の第４の実施例の大腸挿入用内視鏡の先端部を示しており、第１の実施例と比較して、先端フード１０を前方に長く伸ばすことにより、凸部１１が観察窓６からの観察視野範囲Ｖ内に入るようにしたものである。このように構成することにより、凸部１１をヒダ１００に対して狙った通りに正確に引っ掛けることができる。
【００２９】
図１１は本発明の第５の実施例の大腸挿入用内視鏡の先端部を示しており、先端フード１０が不透明な材料により先端部本体５と一体に形成されている。このような構成の先端部であっても本発明を適用することができる。
【図面の簡単な説明】
【００３０】
【図１】本発明の第１の実施例の大腸挿入用内視鏡の先端部の側面部分断面図である。
【図２】本発明の第１の実施例の大腸挿入用内視鏡の全体構成を示す外観図である。
【図３】本発明の第１の実施例の大腸挿入用内視鏡の先端部の外観斜視図である。
【図４】本発明の第１の実施例の大腸挿入用内視鏡の先端部の図１におけるIV−IV断面図である。
【図５】本発明の第１の実施例の大腸挿入用内視鏡の先端部の変形例を示す断面図である。
【図６】本発明の第１の実施例の大腸挿入用内視鏡の使用状態の略示図である。
【図７】本発明の第１の実施例の大腸挿入用内視鏡の使用状態の略示図である。
【図８】本発明の第２の実施例の大腸挿入用内視鏡の先端部の側面断面図である。
【図９】本発明の第３の実施例の大腸挿入用内視鏡の先端部の側面断面図である。
【図１０】本発明の第４の実施例の大腸挿入用内視鏡の先端部の側面断面図である。
【図１１】本発明の第５の実施例の大腸挿入用内視鏡の先端部の側面断面図である。
【符号の説明】
【００３１】
１  挿入部
５  先端部本体
５ａ  先端面
６  観察窓
１０  先端フード
１１  凸部
１００  ヒダ
【図１】
2006192087.tif 000003
【図２】
2006192087.tif 000004
【図３】
2006192087.tif 000005
【図４】
2006192087.tif 000006
【図５】
2006192087.tif 000007
【図６】
2006192087.tif 000008
【図７】
2006192087.tif 000009
【図８】
2006192087.tif 000010
【図９】
2006192087.tif 000011
【図１０】
2006192087.tif 000012
【図１１】
2006192087.tif 000013